(57)【要約】      （修正有）【課題】ユーザーがペダルを踏むことにより、脱水バスケットを駆動して回転して遠心力を発生して、脱水効果を得ることが可能な脱水装置を提供する。【解決手段】外側にペダル１１が設けられており、ペダルにより、回転軸１２を駆動可能な外バケット１と、外バケットの内側に設置されており、その中央にスリーブ部２１が設けられており、スリーブ部の底側に固定台が設けられており、回転軸に枢着されており、回転することが可能な脱水バスケット２と、外バケットの頂部と嵌合して固定される蓋と、を備える脱水装置において、蓋の中央部位に近接する箇所の下方に規制シャフトが固定されており、規制シャフトの他端は、スリーブ部の頂台２５に設けられている軸受６を挿通するように固定され、スチール玉７に押し付ける。【選択図】図３
0003224943.tif 000002
【実用新案登録請求の範囲】
【請求項１】
外側にペダルが設けられており、前記ペダルにより、回転軸を駆動可能な外バケットと、前記外バケットの内側に設置されており、その中央にスリーブ部が設けられており、前記スリーブ部の底側に固定台が設けられており、前記回転軸に枢着されており、回転することが可能な脱水バスケットと、前記外バケットの頂部と嵌合して固定される蓋と、を備える脱水装置において、
前記蓋の中央部位に近接する箇所の下方に規制シャフトが固定されており、前記規制シャフトの他端は、前記スリーブ部の前記頂台に設けられている軸受を挿通するように固定され、スチール玉に押し付けることを特徴とする脱水装置。
【請求項２】
前記スリーブ部のエッジ面には、複数の嵌合溝が距離を置いて設けられており、複数の前記嵌合溝には、複数の仕切り板がそれぞれ枢着されていることを特徴とする、請求項１に記載の脱水装置。
【請求項３】
前記各仕切り板は凹面アーク部を有し、前記凹面アーク部には、それぞれ両側から伸びるサイド翼部が設けられており、収容空間が形成され、前記凹面アーク部の適当の位置には、更に、嵌合部が設けられており、前記嵌合部は、前記脱水バスケットの前記スリーブ部の前記嵌合溝と脱着可能に嵌合するためのものであることを特徴とする、請求項２に記載の脱水装置。
【請求項４】
前記蓋の端部には、内側へ突出する係合部が設けられており、前記係合部は、前記外バケットの頂部と係合して前記外バケットを固定することを特徴とする、請求項１に記載の脱水装置。
【請求項５】
前記規制シャフトの底端に凹面アーク部が形成され、前記凹面アーク部は、前記スチール玉の表面に当接することを特徴とする、請求項１に記載の脱水装置。
【請求項６】
前記外バケットは、外部の電源と電気的に接続するプラグを有し、電力により前記回転軸を直接に駆動して前記脱水バスケットを回転することを特徴とする、請求項１に記載の脱水装置。
【請求項７】
前記外バケットの底部に近接する適当の箇所に排水口が設けられていることを特徴とする、請求項１に記載の脱水装置。
【考案の詳細な説明】
【技術分野】
【０００１】
本考案は、脱水装置に関し、特に、ユーザーが足を踏むことにより、脱水バスケットを駆動して回転して遠心力を発生して、脱水効果を得ることが可能な脱水装置に関するものである。
【背景技術】
【０００２】
多数の衣類やスポーツシューズなどを洗濯した後、ハングアップして空気乾燥し、更に、脱水機により脱水を行うことが一般的である。しかし、従来の脱水機は、より広いスペースを占め、そして電力を消費し、電気代が掛かるため、学生寮などのより狭い部屋で暮らすユーザーは、脱水機の使用は難しい。
【考案の概要】
【考案が解決しようとする課題】
【０００３】
本考案の主な目的は、ユーザーが足を踏むことにより、脱水バスケットを駆動して回転して遠心力を発生して、脱水バスケットに入れられる衣類やスポーツシューズなどを便利に脱水でき、体積がより小さく、占める空間を低減でき、便利に移動でき、電力を消費しない脱水装置を提供することにある。
【０００４】
本考案の次の目的は、規制シャフトを設けることにより、脱水バスケットの回転の中心性がもっと精確となり、回転している脱水バスケットの揺れの傾斜度を有効に減少できる脱水装置を提供することにある。
【課題を解決するための手段】
【０００５】
本考案に係る脱水装置によると、外側にペダルが設けられており、ペダルにより、回転軸を駆動可能な外バケットと、外バケットの内側に設置されており、その中央にスリーブ部が設けられており、スリーブ部の底側に固定台が設けられており、回転軸に枢着されており、回転することが可能な脱水バスケットと、外バケットの頂部と嵌合して固定される蓋と、を備える脱水装置において、
蓋の中央部位に近接する箇所の下方に規制シャフトが固定されており、規制シャフトの他端は、スリーブ部の頂台に設けられている軸受を挿通するように固定され、スチール玉に押し付けることを特徴とする。
【０００６】
本考案に係る脱水装置によると、スリーブ部のエッジ面には、複数の嵌合溝が距離を置いて設けられており、複数の嵌合溝には、複数の仕切り板がそれぞれ枢着されていることを特徴とする。
【０００７】
本考案に係る脱水装置によると、各仕切り板は凹面アーク部を有し、凹面アーク部には、それぞれ両側から伸びるサイド翼部が設けられており、収容空間が形成され、凹面アーク部の適当の位置には、更に、嵌合部が設けられており、嵌合部は、脱水バスケットのスリーブ部の嵌合溝と脱着可能に嵌合するためのものであることを特徴とする。
【０００８】
本考案に係る脱水装置によると、蓋の端部には、内側へ突出する係合部が設けられており、係合部は、外バケットの頂部と係合して外バケットを固定することを特徴とする。
【０００９】
本考案に係る脱水装置によると、規制シャフトの底端に凹面アーク部が形成され、凹面アーク部は、スチール玉の表面に当接することを特徴とする。
【００１０】
本考案に係る脱水装置によると、外バケットは、外部の電源と電気的に接続するプラグを有し、電力により回転軸を直接に駆動して脱水バスケットを回転することを特徴とする。
【００１１】
本考案に係る脱水装置によると、外バケットの底部に近接する適当の箇所に排水口が設けられていることを特徴とする。
【考案の効果】
【００１２】
本考案に係る脱水装置によれば、次のような効果がある。
（１）ユーザーが足を踏むことにより、脱水バスケットを駆動して回転して遠心力を発生して、脱水バスケットに入れられる衣類やスポーツシューズなどを便利に脱水でき、体積がより小さく、占める空間を低減でき、便利に移動でき、電力を消費しない。
【００１３】
（２）規制シャフトを設けることにより、脱水バスケットの回転の中心性がもっと精確となり、回転している脱水バスケットの揺れの傾斜度を有効に減少できる。
【図面の簡単な説明】
【００１４】
【図１】本考案に係る脱水装置を示す斜視図である。
【図２】本考案に係る脱水装置を示す分解斜視図である。
【図３】本考案に係る脱水装置の仕切り板を示す図である。
【図４】本考案に係る脱水装置の脱水バスケットを示す断面図である。
【図５】本考案に係る脱水装置の組合せを示す断面図である。
【図６】本考案に係る脱水装置の使用状態を示す図である。
【図７】本考案の別の実施形態に係る脱水装置を示す図である。
【考案を実施するための形態】
【００１５】
以下、本考案の実施の形態を図面に基づいて説明する。
【００１６】
本考案に係る脱水装置１００は、外バケット１、脱水バスケット２、蓋４及び複数の仕切り板３を設けることにより、外バケット１に設けられているペダル１１を踏むと、脱水バスケット２が駆動されて回転して遠心力を発生して、脱水バスケット２に入れられる脱水対象物を脱水することができる。
【００１７】
外バケット１は、外側にペダル１１が設けられている。ユーザーは、ペダル１１を繰り返して踏むことにより、ギアユニットが駆動されて回転軸１２を駆動して、脱水バスケット２が駆動されて回転する。
【００１８】
脱水バスケット２は、外バケットの内側に設けられており、その中央にスリーブ部２１が設けられている。スリーブ部２１のエッジ面には、複数の嵌合溝２２が距離を置いて設けられている。脱水バスケット２の底側に固定台２３が設けられている。固定台２３は、回転軸１２に固定されている。
【００１９】
蓋４は、外バケット１の頂部１３に開閉可能に設けられている。蓋４の端部には、内側へ突出する係合部４１が設けられている。係合部４１は、外バケット１の頂部１３と係合して固定することができる。
【００２０】
複数の仕切り板３は凹面アーク部３１を有する。凹面アーク部３１には、両側から伸びるサイド翼部３２が設けられている。これにより、収容空間３３が形成される。凹面アーク部３１の適当の位置には、更に、嵌合部３４が設けられている。嵌合部３４は、ニーズに対応して脱水バスケット２の嵌合溝２２と迅速に嵌合し、又は嵌合溝２２から迅速に取り外すことができる。
【００２１】
上記の部材を組み合わせて構成される脱水装置１００の特徴は、蓋４の中央部位に近接する箇所の下方に規制シャフト５が固定されており、規制シャフト５の他端は、スリーブ部２１の頂台２５に設けられている軸受６を挿通して、頂台２５の収容凹み２６に設けられているスチール玉７に当接する。規制シャフト５を設けることにより、脱水バスケット２の回転の中心性がもっと精確となり、回転している脱水バスケット２の揺れの傾斜度を有効に減少できる。
【００２２】
外バケット１のペダル１１を繰り返して踏むと、ギアユニットが駆動されて回転軸１２を回転して、脱水バスケット２が回転されて脱水を行う。蓋４は外バケット１の頂部１３と係合するため、蓋４の中央から下方に突出する規制シャフト５は、軸受６を挿通してスチール玉７に押し付ける。規制シャフト５の底端に凹面アーク部５１が形成されることにより、スチール玉７の表面によく当接できる。その目的は、脱水バスケット２が回転しているときに、規制シャフト５がスチール玉６に当接して若干にスライドすることが可能なため、回転時の脱水バスケット２は、できる限り中心性を精確に維持して回転でき、揺れを低減できる。
【００２３】
また、仕切り板３はほぼコ字形を呈し、且つサイド翼部３２が縮幅状を呈するため、シューズが仕切り板３に安定的に挟まれて収容空間３３に収容される。そして仕切り板３の端縁には、更に、挟み機能を有する縮幅部３５が設けられている。これにより、収容空間３３に収容されるものは、脱水するときに、遠心力により収容空間３３から離脱することを回避できる。
【００２４】
また、脱水バスケット２のエッジに排水溝２４が複数設けられている。排水溝２４により、脱水時に飛散される液体を外バケット１に排出できる。
【００２５】
特に、補足したいのは、（Ａ）蓋４により、脱水バスケット２の回転時の中心性の安定を有効に確保できるため、仕切り板３を嵌合せず、脱水しようとする衣類を脱水バスケット２に直接に入れて脱水を行うことができる。仕切り板３を嵌合する目的は、ペアとなる垂直なシューズを対称的に配置することにより、できる限り脱水バスケットの回転を安定にして、脱水をスムーズに行うことができる。
【００２６】
（Ｂ）図６を参照する。本考案の別の実施形態は、外バケット１の底部に近接する箇所に排水口１４が設けられている。これにより、外バケット１の内部の脱水バスケット２の水を排出できる。
【００２７】
（Ｃ）図７を参照する。もちろん、外バケットに設けられているペダルにより回転軸を駆動することの代わりに、プラグ１０を市電と接続して、モータにより回転軸１２を駆動してもよい。
【符号の説明】
【００２８】
１  外バケット
２  脱水バスケット
３  仕切り板
４  蓋
５  規制シャフト
６  軸受
７  スチール玉
１１  ペダル
１２  回転軸
１３  頂部
１４  排水口
１０  プラグ
２１  スリーブ部
２２  嵌合溝
２３  固定台
２４  排水溝
２５  頂台
２６  収容凹み
３１  凹面アーク部
３２  サイド翼部
３３  収容空間
３４  嵌合部
３５  縮幅部
４１  係合部
５１  凹面アーク部
１００  脱水装置
【図１】
0003224943.tif 000003
【図２】
0003224943.tif 000004
【図３】
0003224943.tif 000005
【図４】
0003224943.tif 000006
【図５】
0003224943.tif 000007
【図６】
0003224943.tif 000008
【図７】
0003224943.tif 000009
【手続補正書】
【提出日】令和1年11月22日(2019.11.22)
【手続補正１】
【補正対象書類名】実用新案登録請求の範囲
【補正対象項目名】請求項１
【補正方法】変更
【補正の内容】
【請求項１】
外側にペダルが設けられており、前記ペダルにより、回転軸を駆動可能な外バケットと、前記外バケットの内側に設置されており、その中央にスリーブ部が設けられており、前記スリーブ部の底側に固定台が設けられており、前記回転軸に枢着されており、回転することが可能な脱水バスケットと、前記外バケットの頂部と嵌合して固定される蓋と、を備える脱水装置において、
前記蓋の中央部位に近接する箇所の下方に規制シャフトが固定されており、前記規制シャフトの他端は、前記スリーブ部の頂台に設けられている軸受を挿通するように固定され、スチール玉に押し付けることを特徴とする脱水装置。